(57)【要約】  実施形態は、エアギャップの精度を向上させた高品質の電磁スピーカーに関するもので、振動モジュールの上部及び下部に積層されるコイルをそれぞれの固定部材で確実かつ正確にセッティングすることにより、振動板を基準としてその上部及び下部にコイルが相互対称な同じ間隔のエアギャップを形成することを可能にし、これにより、エアギャップの非対称により発生する歪み及びその他の音響変換特性の不均一性を排除しようとする電磁スピーカー分野に非常に有用に利用可能である。【選択図】図２
2020506643.tif 000002
【特許請求の範囲】
【請求項１】
振動板を含む振動モジュールと、
前記振動モジュールの上部に配置される第１磁気回路と、
前記振動モジュールの下部に配置される第２磁気回路とを備え、
前記第１磁気回路は、前記振動モジュールの上部に配置される第１永久磁石、前記第１永久磁石の内部に配置される第１コイル、及び前記第２磁気回路に向かって膨らむように形成され、前記第１コイルを固定する第１固定部材を含み、
前記第２磁気回路は、前記振動モジュールの下部に配置される第２永久磁石、前記第２永久磁石の内部に配置される第２コイル、及び前記第１磁気回路に向かって膨らむように形成され、前記第２コイルを固定する第２固定部材を含む、エアギャップの精度を向上させた高品質の電磁スピーカー。
【請求項２】
前記第１コイルは、前記第１永久磁石の上面と平坦になるように配置され、前記第１永久磁石の下面よりも突出し、
前記第２コイルは、前記第２永久磁石の下面と平坦になるように配置され、前記第２永久磁石の上面よりも突出し、
前記第１コイルと前記第２コイルは、前記振動板を基準として相互対称な同じ間隔のエアギャップが形成されるように配置される、請求項１に記載のエアギャップの精度を向上させた高品質の電磁スピーカー。
【請求項３】
前記振動モジュールは、
前記振動板の上面及び下面を支持するリング状の上部及び下部ダンパー、及び前記上部及び下部ダンパーを前記振動板と一緒に固定する上部及び下部ハウジングを含み、
前記上部及び下部ハウジングは、アングル（ａｎｇｌｅ）状の断面を持つ、請求項１に記載のエアギャップの精度を向上させた高品質の電磁スピーカー。
【請求項４】
前記振動板は中心に質量体が配置される、請求項３に記載のエアギャップの精度を向上させた高品質の電磁スピーカー。
【請求項５】
前記振動板は、中央ホールから放射状に延びた複数の延長ホールと、前記複数の延長ホール同士の間に配置される複数の振動羽根とを含む、請求項３に記載のエアギャップの精度を向上させた高品質の電磁スピーカー。
【請求項６】
前記第１磁気回路とハウジングの内面との間に配置され、音響漏れを防止し且つコイルの損傷を防止するクッションパッドを含む、請求項１に記載のエアギャップの精度を向上させた高品質の電磁スピーカー。
【請求項７】
前記第１永久磁石の上面に前記第２永久磁石の下面極と同じ極となるように配置されるシールド磁石、
前記振動モジュール、前記第１及び第２永久磁石、及び前記シールド磁石の外側面を包み込むシールドガイド、並びに
前記第２永久磁石及び前記シールドガイドの下面に配置されるシールドプレートを含み、
前記シールドガイドは非磁性体であり、前記シールドプレートは磁性体である、請求項１に記載のエアギャップの精度を向上させた高品質の電磁スピーカー。
【請求項８】
振動板と、
前記振動板の上部に配置される第１コイルと、
前記振動板の下部に配置される第２コイルと、
前記第１コイル及び前記第２コイルの外側に配置される永久磁石とを備え、
前記第１コイル及び前記第２コイルの装着配置のための第１固定部材及び第２固定部材が前記永久磁石の両端に対称に設けられ、
前記第１固定部材と前記第２固定部材との間に配置された軟質の第１磁性体ダンパー及び第２磁性体ダンパーを介して高音振動板が設けられる、エアギャップの精度を向上させた高品質の電磁スピーカー。
【請求項９】
前記第１磁性体ダンパーと前記第２磁性体ダンパーは高分子樹脂、及び前記高分子樹脂に分散されたパーティクルを含み、
前記パーティクルは強磁性粉末または粒子を含む、請求項８に記載のエアギャップの精度を向上させた高品質の電磁スピーカー。
【発明の詳細な説明】
【技術分野】
【０００１】
本発明は、エアギャップの精度を向上させた高品質の電磁スピーカーに係り、より詳細には、振動モジュールの上部及び下部に積層されるコイルをそれぞれの固定部材で確実かつ正確にセッティングすることにより、振動板を基準としてその上部及び下部にコイルが相互対称な同じ間隔のエアギャップを形成することを可能にし、これにより、エアギャップの非対称により発生する歪み及びその他の音響変換特性の不均一性を排除することができる、エアギャップの精度を向上させた高品質の電磁スピーカーに関する。
【背景技術】
【０００２】
一般に、電磁スピーカーは、導線が巻かれたコイルから発生した交流磁気力線と、永久磁石から誘導された直流磁気力線とが相互作用して力を発生させる原理はコイン型と同一であるものの、コイルが直接駆動されるコイン型とは異なり、コイルは固定され、コイルの一端に付設された鉄片が電磁石化されて振動することにより、電気−音響変換を行う。
【０００３】
電磁スピーカーには、バランスドアーマチュアスピーカー（ｂａｌａｎｃｅｄ  ａｒｍａｔｕｒｅ  ｓｐｅａｋｅｒ）やプレート型スピーカーなどがあるが、このような電磁スピーカーの中でも、プレート型スピーカーに関連したものは、韓国特許第１５９６８９４号（特許文献１）に提示されている。
【０００４】
特許文献１の電磁スピーカーは、上部コイルと下部コイルとが対応して配置され、上部及び下部コイルの外側に永久磁石が配置され、上部コイルと下部コイルとの間に振動板が配置されるが、前記振動板の上面及び下面の縁部が上部ダンパー部材及び下部ダンパー部材によって支持されるようにギャップガイドと一緒に永久磁石同士の間に配置されたものであった。
【０００５】
このように構成された従来の電磁スピーカーは、振動板が上部コイル及び下部コイルの電磁力によって電磁石化され、コイルの重量が排除された状態で永久磁石の磁力と反応して直接駆動することにより、電気信号に対応した迅速な応答性を実現することができ、これにより、非常に繊細でディテールな音響再生が可能であった。
【０００６】
また、振動板が自ら能動駆動して音響変換することにより、振動部の変換経路歪み率を最小限に抑えることができ、これにより、よりクリアな音の再生に有利である。
【０００７】
しかし、上述したような従来の電磁スピーカーにおいては、磁気回路が、永久磁石の内側に単純にコイルが挿入される構造であって、コイルの位置を正確にセッティングすることができず、これにより振動板を基準としてその上部及び下部に設置されるコイル間のエアギャップが相互対称でありながら同一の離隔間隔を維持するようにすることが難しく、このようにエアギャップの非対称により発生する歪み及びその他の音響変換特性の不均一性を排除することができなくなるという問題点があった。
【０００８】
また、永久磁石の内側にコイルが挿入された一対の磁気回路で形成された後、磁気回路の永久磁石同士の間にギャップガイドが位置するように組み立てられるので、磁気回路の組立公差が発生せざるを得ず、これにより、上部コイル及び下部コイル間の対称維持だけでなく、音圧／特性の均一化においても作業上の困難が発生するおそれがあるという問題点があった。
【０００９】
また、リング状のギャップガイドの内面に下部ダンパーリング、振動板及び上部ダンパーリングを順次組み立てるが、振動板が別個の上部及び下部ダンパーリングによって支持される構造であって、部品数及び組立工程が多いのはもとより、モジュールまたはユニット化することができず、これにより空隙の高さとダンパーリングの寸法の不均一が発生することがあり、このような不均一が発生すると、特性／音圧／再生周波数の均一実現に不利であるのはもとより、低音漏洩の可能性が存在するという問題点があった。
【発明の概要】
【発明が解決しようとする課題】
【００１０】
本発明の一実施形態は、上述したような従来の電磁スピーカーの諸弊害及び問題点を解決するために研究開発されたもので、振動モジュールの上部及び下部に積層されるコイルをそれぞれの固定部材で確実かつ正確にセッティングすることにより、振動板を基準としてその上部及び下部にコイルが相互対称な同じ間隔のエアギャップを形成することが可能であり、これにより、エアギャップの非対称により発生する歪み及びその他の音響変換特性の不均一性を排除することができるようにした、エアギャップの精度を向上させた高品質の電磁スピーカーを提供することを目的とする。
【００１１】
また、本発明の一実施形態は、振動板を上部及び下部ダンパーと共に上部及び下部ハウジングに一体化させて振動モジュール化することにより、別途の予備工程で組立作業の自動化が可能であり、これにより、生産コストに影響を与える手作業の最小化を図ることができるようにした、エアギャップの精度を向上させた高品質の電磁スピーカーを提供することを目的とする。
【００１２】
また、本発明の一実施形態は、振動モジュールの振動板と上部及び下部ハウジングを磁性体で形成し、上部及び下部ダンパーを弾性率の制御が可能な非磁性体で形成することにより、永久磁石同士間の磁気抵抗と漏洩磁束を最小化するとともに、バイアス磁力の増加を図ることができ、これにより振動板の逆位相が排除され、全面積が同位相駆動されることにより位相差歪みの低減だけでなく、音響変換効率の向上を図ることができるようにした、エアギャップの精度を向上させた高品質の電磁スピーカーを提供することを目的とする。
【００１３】
本発明の解決しようとする課題はこれに限定されるものではなく、以降に説明する課題の解決手段や実施形態から把握できる目的や効果も含まれるといえる。
【課題を解決するための手段】
【００１４】
本発明の一実施形態に係るエアギャップの精度を向上させた高品質の電磁スピーカーは、振動板を含む振動モジュールと、前記振動モジュールの上部に配置される第１磁気回路と、前記振動モジュールの下部に配置される第２磁気回路とを備え、前記第１磁気回路は、前記振動モジュールの上部に配置される第１永久磁石、前記第１永久磁石の内部に配置される第１コイル、及び前記第２磁気回路に向かって膨らむように形成され、前記第１コイルを固定する第１固定部材を含み、前記第２磁気回路は、前記振動モジュールの下部に配置される第２永久磁石、前記第２永久磁石の内部に配置される第２コイル、及び前記第１磁気回路に向かって膨らむように形成され、前記第２コイルを固定する第２固定部材を含む。
【００１５】
前記第１コイルは、前記第１永久磁石の上面と平坦になるように配置され、前記第１永久磁石の下面よりも突出し、前記第２コイルは、前記第２永久磁石の下面と平坦になるように配置され、前記第２永久磁石の上面よりも突出し、前記第１コイルと前記第２コイルは、前記振動板を基準として相互対称な同じ間隔のエアギャップが形成されるように配置できる。
【００１６】
前記振動モジュールは、前記振動板の上面及び下面を支持するリング状の上部及び下部ダンパー、及び前記上部及び下部ダンパーを前記振動板と一緒に固定する上部及び下部ハウジングを含み、前記上部及び下部ハウジングは、アングル（ａｎｇｌｅ）状の断面を持つことができる。
【００１７】
前記振動板は、中心に質量体が配置できる。
【００１８】
前記振動板は、中央ホールから放射状に延びた複数の延長ホールと、前記複数の延長ホール同士の間に配置される複数の振動羽根とを含むことができる。
【００１９】
前記第１磁気回路とハウジングの内面との間に配置され、音響漏れを防止し且つコイルの損傷を防止するクッションパッドを含むことができる。
【００２０】
前記第１永久磁石の上面に前記第２永久磁石の下面極と同じ極となるように配置されるシールド磁石；前記振動モジュール、前記第１及び第２永久磁石、及び前記シールド磁石の外側面を包み込むシールドガイド；並びに前記第２永久磁石及びシールドガイドの下面に配置されるシールドプレート；を含み、前記シールドガイドは非磁性体であり、前記シールドプレートは磁性体であり得る。
【００２１】
前記第１固定部材と前記振動板との間に配置される第１磁性体ダンパー、及び前記第２固定部材と前記振動板との間に配置される第２磁性体ダンパーを含むことができる。
【００２２】
前記第１及び第２磁性体ダンパーは、高分子樹脂、及び前記高分子樹脂に分散されたパーティクルを含み、前記パーティクルは、強磁性粉末または粒子を含むことができる。
【発明の効果】
【００２３】
本発明のエアギャップの精度を向上させた高品質の電磁スピーカーによれば、振動モジュールの上部及び下部に積層されるコイルをそれぞれの固定部材で確実かつ正確にセッティングすることにより、振動板を基準としてその上部及び下部にコイルが相互対称な同じ間隔のエアギャップを形成することが可能であり、これにより、エアギャップの非対称により発生する歪み及びその他の音響変換特性の不均一性を排除することができるため、音圧、特性、音質のバラツキが非常に少なく、均一な高品質の高解像電磁スピーカーを得ることができる。
【００２４】
また、本発明は、固定部材のボーター（ｂｏａｔｅｒ）深さに対する制御によって振動板とのエアギャップ調節が可能なので、音響変換効率の調節が可能であるという利点を持つ。
【００２５】
また、本発明は、振動板を上部及び下部ダンパーと共に上部及び下部ハウジングに一体化させて振動モジュール化することにより、別途の予備工程で組立作業の自動化が可能であり、これにより、生産コストに影響を与える手作業の最小化を図ることができる。
【００２６】
また、本発明は、振動モジュールの振動板と上部及び下部ハウジングを磁性体で形成し、上部及び下部ダンパーを弾性率の制御が可能な非磁性体で形成することにより、永久磁石同士間の磁気抵抗と漏洩磁束を最小化するとともにバイアス磁力の増加を図ることができ、これにより、振動板の逆位相が排除されて全面積が同位相駆動されることにより位相差歪みの低減と音響変換効率の向上を図ることができる。
【００２７】
本発明の多様で有益な利点と効果は、上述した内容に限定されず、本発明の具体的な実施形態を説明する過程でより容易に理解できる。
【図面の簡単な説明】
【００２８】
【図１】本発明の好適な一実施形態に係るエアギャップの精度を向上させた高品質の電磁スピーカーを示す分解図である。
【図２】本発明に係るエアギャップの精度を向上させた高品質の電磁スピーカーの組立断面図である。
【図３】図２の平面図である。
【図４】図２の底面図である。
【図５】本発明に係る電磁スピーカーから振動モジュールを抜粋して詳細に示す平面図である。
【図６】図５の断面図である。
【図７】本発明に係る電磁スピーカーにおける振動モジュールの振動板に対する他の実施形態を示す断面図である。
【図８】本発明に係る電磁スピーカーにおける振動モジュールの振動板に対する他の実施形態を示す断面図である。
【図９】本発明の別の実施形態に係るエアギャップの精度を向上させた高品質の電磁スピーカーを示す断面図である。
【図１０】図９の振動モジュールに適用された振動板を抜粋して示す平面図である。
【図１１】本発明に係るエアギャップの精度を向上させた高品質の電磁スピーカーの別の実施形態を示す断面図である。
【図１２】本発明に係るエアギャップの精度を向上させた高品質の電磁スピーカーの別の実施形態を示す断面図である。
【図１３】本発明に係るエアギャップの精度を向上させた高品質の電磁スピーカーの別の実施形態を示す断面図である。
【発明を実施するための形態】
【００２９】
本発明は、様々な変更を加えることができ、様々な実施形態を有することができるので、特定の実施形態を図面に例示し、説明する。ところが、これは、本発明を特定の実施形態に対して限定するためのものではなく、本発明の思想及び技術範囲に含まれるすべての変更、均等物及び代替物を含むものと理解されるべきである。
【００３０】
本出願で使用した用語は、単に特定の実施形態を説明するために使用されたもので、本発明を限定するものではない。単数の表現は、文脈上明白に異なる意味ではない限り、複数の表現を含む。本出願において、「含む」または「有する」などの用語は、明細書上に記載された特徴、数字、段階、動作、構成要素、部品またはこれらの組み合わせが存在することを指定しようとするもので、一つまたはそれ以上の他の特徴や数字、段階、動作、構成要素、部品またはこれらの組み合わせの存在または付加の可能性を予め排除しないものと理解されるべきである。
【００３１】
別に定義されない限り、技術的或いは科学的用語を含んで、ここで使用される全ての用語は、本発明の属する技術分野における通常の知識を有する者によって一般に理解されるのと同一の意味を有する。一般に使用される辞典に定義されているような用語は、関連技術の文脈上において有する意味と一致する意味を有すると解釈されるべきであり、本出願において明白に定義しない限りは、理想的または過度に形式的な意味で解釈されない。
【００３２】
以下、添付図面を参照して実施形態を詳細に説明するが、図面符号に関係なく、同一または対応の構成要素は同一の参照符号を付し、これについての重複説明は省略する。
【００３３】
図１乃至図６は本発明の一実施形態に係るエアギャップの精度を向上させた高品質の電磁スピーカーを説明するために示す図である。
【００３４】
図示のように、本発明に係るエアギャップの精度を向上させた高品質の電磁スピーカーは、中空キャップ形の断面を有するハウジング１０と、このハウジング１０内の上部空間に装着されるワッシャー形の第１磁気回路２０と、この第１磁気回路２０の下部に対向配置されるワッシャー形の第２磁気回路３０と、前記磁気回路同士の間に配置される振動モジュール４０とを含むことができる。
【００３５】
前記ハウジング１０は、その内部に第１、第２磁気回路２０、３０だけでなく、振動モジュール４０と電極部材５０などの設置空間を持たなければならないので、全体的な形状が断面中空キャップ形の形状であり、非磁性体、またはアルミニウム、マグネシウム、高分子などの反磁性体で形成できる。しかし、前記ハウジング１０の形状及び材質は、必ずしもこれに限定されない。
【００３６】
前記ハウジング１０は、その上面の中心部には第１音響放射出口１１が設けられ、上面の一側からその下部の端に至るまで切り取られたコイル引き出し溝１３が設けられ、キャップ形断面の下端には設置空間に組み立てられる部品を装着することができるようにハウジング１０の中心方向に折り曲げ可能に切り取られた複数の折曲部材１２が設けられ得る。
【００３７】
前記第１及び第２磁気回路２０、３０は、コイルと永久磁石が対をなし、水平配置構造で形成されるが、第１磁気回路２０は、第１コイル２１と第１永久磁石２２で構成され、第２磁気回路３０は、第２コイル３１と第２永久磁石３２で構成され得る。
【００３８】
前記第１及び第２コイル２１、３１は、第１、第２固定部材１５、１６を介して第１及び第２永久磁石２２、３２の内面の位置に装着配置できる。
【００３９】
第１固定部材１５は、第１永久磁石２２の上面に配置され、第１コイル２１の装着配置のために中央が下部に膨らむように突設され、その中央に第２音響放射出口１５ａを有するボーター（ｂｏａｔｅｒ）形状をすることができる。
【００４０】
前記第２固定部材１６は、第２永久磁石３２の下面に配置され、第２コイル３１の装着配置のために中央が上部に膨らむように突設され、その中央に第３音響放射出口１６ａを有するボーター（ｂｏａｔｅｒ）形状をすることができる。
【００４１】
前記第１及び第２固定部材１５、１６は、ハウジング１０と同様に非磁性体、またはアルミニウム、マグネシウム、高分子などの反磁性体を含むことができる。しかし、第１及び第２固定部材１５、１６の材質は、特に限定されない。
【００４２】
前記第１磁気回路２０の第１永久磁石２２は、振動モジュール４０の上部に積層され、第１永久磁石２２の内面の第１固定部材１５によってワッシャー（ｗａｓｈｅｒ）形の第１コイル２１が装着配置できる。
【００４３】
第２磁気回路３０の第２永久磁石３２は、振動モジュール４０の下部に積層され、第２永久磁石３２の内面の第２固定部材１６を介してワッシャー形の第２コイル３１が装着配置できる。したがって、振動モジュール４０を中心として、第１及び第２磁気回路２０、３０は相互対称に配置できる。
【００４４】
前記第１及び第２コイル２１、３１は、第１永久磁石２２の上面及び第２永久磁石３２の下面と平坦になるように設けられ、第１永久磁石２２の下面及び第２永久磁石３２の上面よりも突出して振動板４１を基準として相互対称な同じ間隔のエアギャップが形成されるように装着配置できる。
【００４５】
このように振動モジュール４０の上下面に第１及び第２磁気回路２０、３０の第１、第２コイル２１、３１と第１、第２永久磁石２２、３２とが同心を成して水平配置される構造なので、薄いスリム型の電磁スピーカーを得ることができる。
【００４６】
また、前記第１及び第２固定部材１５、１６は、そのボーターの深さ（突出深さ）が浅く或いは深くなるように形成することにより、第１及び第２永久磁石２２、３２の内部で振動板４１と第１または第２コイル２１、３１が相互対称且つ正確なエアギャップを形成するように調節可能なので、音響変換効率の調節が可能であるという利点を持つ。
【００４７】
特に、第１及び第２コイル２１、３１を第１及び第２固定部材１５、１６を介して第１、第２永久磁石２２、３２の内面に確実かつ正確な位置及び高さにセッティングすることができ、これにより、振動板４１を基準としてその上部及び下部に第１及び第２コイル２１、３１が相互対称な同じ間隔でエアギャップを形成するので、エアギャップの非対称により発生する歪み及びその他の音響変換特性の不均一性を排除することができ、ひいては音圧、特性、音質のバラツキが非常に少なく、均一な高品質の高解像電磁スピーカーを得ることができる。
【００４８】
前記電極部材５０は、中央に第４音響放射出口５１を有する板状であり、第２磁気回路３０の第２永久磁石３２の下面に配置される。これは、第１及び第２コイル２１、３１と回路を成して接続され、電流を供給する役割を果たすことができる。
【００４９】
前記電極部材５０の第４音響放射出口５１には、振動板４１により発生する中音から高音まで微細音を制御するためのレジスタ５３が設けられ得る。前記レジスタ５３は、多孔質素材であってもよい。例えば、レジスタ５３は、不織布やマイクロ穿孔素材などが使用できるが、これに限定されない。
【００５０】
また、前記第１コイル２１及び第２コイル３１は、そのそれぞれの磁気力線が相互対向して流れるように結線する。これにより、電子石化される振動モジュール４０の振動板４１が第１及び第２コイル２１、３１から駆動力を得ることができる。
【００５１】
前記振動板４１は、前記第１及び第２コイル２１、３１に印加される電気的陽（＋）の周期及び陰（−）の周期信号に対応して上下に振動することができる。
【００５２】
前記振動モジュール４０は、上下対称に配置される第１永久磁石２２と第２永久磁石３２との間に設置されるもので、振動板４１と、この振動板４１の外周縁の上面及び下面を支持するリング状の上部及び下部ダンパー４２、４３と、前記上部及び下部ダンパー４２、４３を包み込んで振動板４１と一緒に固定することができるように断面アングル（ａｎｇｌｅ）形のリングからなる一対の上部及び下部ハウジング４４、４５を含むことができる。上部ハウジング４４の端部は下部ハウジング４５に向かって折り曲げられ、下部ハウジング４５の端部は上部ハウジング４４に向かって折り曲げられ得る。
【００５３】
前記振動板４１は、振動のメイン機能をするボディ（ｂｏｄｙ）と、このボディの外側に設けられたエッジ（ｅｄｇｅ）を有し、上部及び下部ハウジング４４、４５と同様に、鉄、ニッケル、ケイ素などの強磁性体で製作できる。
【００５４】
このような振動板４１の外周縁が、弾性率の制御が可能な軟性素材の上部及び下部ダンパー４２、４３によって支持されることにより、振動板４１の外周支持部の全体区間にわたって柔軟性が増加し、これにより上下の振幅変位が大きくなるので、低音の拡大と音響変換効率の増加を図ることができる。
【００５５】
前記上部及び下部ダンパー４２、４３は、振動板４１に対するダンピングを効果的に行うことができるように、弾性率の制御が可能な非磁性体材質からなることが好ましく、例えば、高分子、シリコーン、ウレタン、合成樹脂などがある。
【００５６】
前記上部及び下部ハウジング４４、４５は、磁性体材質で形成され、第１及び第２永久磁石２２、３２間の磁気抵抗と漏洩磁束を最小化するとともにバイアス磁力を増加させる一方、上部及び下部ダンパー４２、４３の圧力を適切に制御することができる。これにより、適切なコンプライアンスの制動力と復元力を振動板４１に提供して、低音領域で振動するときに振動板の逆位相が排除され、全面積が同位相駆動されることにより、前記位相差歪みの低減及び音響変換効率の向上を図ることができる。
【００５７】
このように振動板４１と上部及び下部ダンパー４２、４３を上部及び下部ハウジング４４、４５を介して一体化して振動モジュール４０を設けることにより、別途の予備工程を介して組立作業の自動化が可能であり、生産コストに影響を与える手作業の最小化を図ることができる。
【００５８】
振動板４１は、振動板自体の板−共振を抑制することができるようにボディの全体あるいは一定の部位にのみエンボス処理をすることもできる。このように振動板４１のボディに形成されたエンボスにより振動板自体の板−共振を抑制することができ、このような板−共振の抑制による歪み減少及びクリアなサウンドの再現が可能となる。
【００５９】
前記第１磁気回路２０の第１永久磁石２２及び第１コイル２１の上面には、軟質のクッションパッド５５が設けられ得る。前記クッションパッド５５は、第１コイル２１の内径と同じサイズの通孔５５ａが穿設されたものであれば特に限定されない。クッションパッド５５は、第１磁気回路２０の上面にハウジング１０が被せられることによる第１コイル２１の損傷を防止し、ハウジング１０の内面に密着して外部へ音が漏れることを防止することにより、低音損失を防止することができる。
【００６０】
図７は本発明に係る電磁スピーカーにおける振動モジュールの振動板に対する他の実施形態を示す断面図である。ここでは、振動板４１の中心に付加質量体４６が設けられたことを除いては、一実施形態の振動モジュールと同様の構成である。
【００６１】
上述したような他の実施形態の振動板によれば、振動板４１の中心に付加質量体４６が設けられており、付加質量体４６の付加質量による電磁スピーカーの低音再生限界周波数が低くなり、これにより低音再生限界周波数をより低い低音帯域に拡張することが可能となる。付加質量体４６の種類は特に限定されない。
【００６２】
図８は本発明の他の実施形態に係るエアギャップの精度を向上させた高品質の電磁スピーカーを示す断面図である。ここでは、シールド磁石６０が第１永久磁石２２の上面に第２永久磁石３２の下面の極と同じ極となるように設けられ、前記振動モジュール４０と第１及び第２永久磁石２２、３２だけでなく、シールド磁石６０の外周面を包み込みながら設置されるリング状のシールドガイド６１が設けられ、前記第２永久磁石３２及びシールドガイド６１の下面にシールドプレート６２が密着して防磁型スピーカーとして設けられたことを除いては、一実施形態の電磁スピーカーと同様の構成である。
【００６３】
このとき、シールドガイド６１の厚さｔは、確実な防磁処理のためにシールド磁石６０の厚さよりも同じか大きいことが好ましい。また、シールドガイド６１は、非磁性体で形成され、ハウジング１０は、シールドケースとしての機能を行うように磁性体で形成され、シールドプレート６２も、磁性体で形成されなければならない。
【００６４】
上述したように構成された他の実施形態の電磁スピーカーによれば、第１及び第２永久磁石２２、３２の異なる極がシールド磁石６０によって同じ極で配列されており、磁場が図８の破線で表示したようにシールドケースとしてのハウジング１０とシールドプレート６２を介して閉回路を成すので、外部漏れ磁場が減衰し、これにより磁場の外部漏れを最小限に抑えることができる。すなわち、シールドプレート６２は、第２永久磁石３２のＮ極に接触し、ハウジング１０がシールド磁石６０のＮ電極に接触するので、同じ極を持つようになり、外部漏れ磁場が減少することがある。
【００６５】
図９は本発明の別の実施形態に係るエアギャップの精度を向上させた高品質の電磁スピーカーを示す断面図であり、図１０は図９の振動モジュールに適用された振動板を抜粋して示す平面図である。ここでは、振動モジュール４０の振動板に、そのボディの中心である中央ホール４１ｂから放射状に切り取られた複数の延長ホール４１ｂ−１と、複数の延長ホール４１ｂ−１同士の間に配置される複数の振動羽根４１ａとが備えられた開放型の高音振動板４１０として設けられたことを除いては、一実施形態の振動モジュールと同様の構成である。
【００６６】
上述したように構成された他の実施形態の電磁スピーカーによれば、振動板４１０のエッジである外周縁部が振動モジュール４０の上部及び下部ダンパー４２、４３によって支持された状態で、振動羽根４１ａの根部である同一円周を基準として、それぞれの振動羽根４１ａが図９の仮想線Ｌのように上下に円弧運動をしながら振動する。
【００６７】
これにより、高音振動板４１０の振動羽根４１ａ同士の間に設けられた中央ホール４１ｂと、複数の延長ホール４１ｂ−１により振動羽根４１ａ自体から発生する低音領域は逆位相により自ら消滅し、振動羽根４１ａの円弧運動により発生する高音のみ放出されるので、電磁方式の高音スピーカーを得ることができる。
【００６８】
図１１は本発明の別の実施形態に係るエアギャップの精度を向上させた高品質の電磁スピーカーを示す断面図である。ここでは、第１及び第２コイル２１、２２の装着配置のための第１及び第２固定部材１５、１６が一つの永久磁石２３の両端に対称に設けられ、第１固定部材１５と第２固定部材１６との間に介在している軟質の第１及び第２磁性体ダンパー４２ａ、４３ａを介して高音振動板４１０が設けられたスリム型の高音スピーカーである。前記第１及び第２磁性体ダンパー４２ａ、４３ａは、高分子やシリコーンなどの軟性素材に強磁性の粉末ないし粒子（鉄、ニッケル、金属ケイ素、コバルトなど）が混合された柔軟性のある磁性体で形成できる。
上述したように構成された別の実施形態の電磁スピーカーによれば、軟質の第１及び第２磁性体ダンパー４２ａ、４３ａが高音振動板４１０のエッジ部分を支持するので、高音振動板４１０から発生する不要な分割振動ないし寄生振動だけでなく、板−共振を吸収して歪みが減少し、澄んだ音響の再生に有利であり、第１及び第２コイル２１、２２と高音振動板４１０間の磁気抵抗の減少により音響変換効率が増加する。
【００６９】
また、一対の第１及び第２永久磁石と振動モジュールを採用する一実施形態の電磁スピーカーとは異なり、一つの永久磁石２３で形成し、高音振動板４１０を第１及び第２磁性体ダンパー４２ａ、４３ａによってのみ支持するようにすることにより、スピーカー自体の高さをより低くすることができるため、スリム化が可能であり、コスト削減も図ることができる。
【００７０】
図１２は本発明の別の実施形態に係るエアギャップの精度を向上させた高品質の電磁スピーカーを示す断面図である。ここでは、図８の防磁型の全帯域電磁スピーカーに振動モジュール４０の振動板として高音振動板４１０を適用したことを除いては、同様の構成である。
【００７１】
上述したように構成された別の実施形態の電磁スピーカーによれば、第１及び第２永久磁石２２、３２の異なる極がシールド磁石６０によって同じ極で配列されており、シールドケースとしてのハウジング１０とシールドプレート６２を介して閉回路をなして外部漏れ磁場が減衰する防磁型スピーカーを得る。これと同時に、図１０のような高音振動板４１０を適用することにより、その振動羽根４１ａに設けられた複数の延長ホール４１ｂ−１により、振動羽根４１ａ自体から発生する低音領域は逆位相により自ら消滅することにより、振動羽根４１ａの円弧運動により発生する高音のみ放出されるので、防磁型の高音スピーカーを得ることができる。
【００７２】
図１３は本発明の別の実施形態に係るエアギャップの精度を向上させた高品質の電磁スピーカーを示す断面図である。ここでは、一つの永久磁石２３の内面に第１及び第２コイル２１、２２と一緒に高音振動板４１０が配置された、図１１のようなスリム型高音スピーカーとして設けられ、前記永久磁石２３の上面に永久磁石２３の下面極と同じ極となるようにシールド磁石６０が設けられ、前記永久磁石２３及びシールド磁石６０の外周面を包み込むリング状のシールドガイド６１と、前記永久磁石２３及びシールドガイド６１の下面にこれと密着するようにシールドプレート６２が設けられたスリム防磁型の高音スピーカーである。
【００７３】
上述したように構成された別の実施形態の電磁スピーカーによれば、軟質の第１及び第２磁性体ダンパー４２ａ、４３ａと高音振動板４１０を採用することによる、高音振動板４１０から発生する不要な分割振動ないし寄生振動だけでなく、板−共振を吸収して歪みが減少し、澄んだ音響の再生に有利であるのはもとより、第１及び第２コイル２１、２２と高音振動板４１０間の磁気抵抗の減少により音響変換効率が増加する。
【００７４】
また、永久磁石２３とシールド磁石６０が同じ極で配列され、その磁場が破線で表示したようにシールドケースとしてのハウジング１０とシールドプレート６２を介して閉回路をなす防磁型のスピーカーであって、外部漏れ磁場が減衰し、これによる磁場の外部漏れを最小限に抑えることができる。
【００７５】
以上、本発明の具体的な実施形態を参照して説明したが、本発明は、この明細書に開示された実施形態及び添付図面によって限定されず、本発明の技術的思想から逸脱しない範囲内で当業者によって多様に変形でき、また、駆動原理と部品の配列が本発明の等価的概念と一致する限り、一部の設計的変更要素はいずれも本発明に含まれるといえる。
【図１】
2020506643.tif 000003
【図２】
2020506643.tif 000004
【図３】
2020506643.tif 000005
【図４】
2020506643.tif 000006
【図５】
2020506643.tif 000007
【図６】
2020506643.tif 000008
【図７】
2020506643.tif 000009
【図８】
2020506643.tif 000010
【図９】
2020506643.tif 000011
【図１０】
2020506643.tif 000012
【図１１】
2020506643.tif 000013
【図１２】
2020506643.tif 000014
【図１３】
2020506643.tif 000015
【国際調査報告】
2020506643.tif 000016
2020506643.tif 000017
2020506643.tif 000018
2020506643.tif 000019